(57)【要約】【課題】着用時のヘッドバンドの調整が敏捷に行なえ、眼窩凹部に密着して進水防止する水泳用ゴーグルの提供。【解決手段】外表面と内表面を具えると共にレンズを収容する左右のリム、左右のリムの内側に設けられた連接装置、左右のリムの外側に設けられたヘッドバンドを具えた水泳用ゴーグルにおいて、左右のリムとヘッドバンドの間に調整装置が設けられ、該調整装置が係止アームを具えてヘッドバンドの係止溝に対して単方向の係止と係止解除の制御を行なう押しボタンを具え、使用者が直接ヘッドバンドを引っ張って緊張度の調整を行うか、或いは押しボタンを押圧して緊張を解除し、水泳用ゴーグル着用調整を非常に敏捷に行なえ、ヘッドバンドを一次調整で位置決めするか或いは微調整でき、着用者の実際の使用の要求に符合する。【選択図】　　　　図１
0003098520.tif 000002
【実用新案登録請求の範囲】
【請求項１】
水泳用ゴーグルにおいて、
連接装置で連接されて一体とされ、それぞれが外表面と内表面を具え、内表面と外表面の間にレンズを収容する収容溝が設けられ、外側縁に取り付け溝が設けられた左右のリムと、
左右のリムの取り付け溝に組み付けられ、相互に組み合わされ一体とされるベースとカバー、及び係止アームを具えた押しボタンを具え、該ベースに枢接孔を具えた枢接シートが設けられ、該枢接孔近くにガイドロッドが設けられ、ガイドロッドの両側に導入口と導出口が設けられ、押しボタンと係止アームの間に枢軸が設けられて該枢軸と枢接孔の組合せにより押しボタンがてこ式にベースに組み付けられた調整装置と、
該押しボタンの作動後の回復力を提供する弾性手段と、
ベースとカバーの間に組み付けられて導入口よりガイドロッドに掛けられて導出口より引き出され、押しボタンの係止アームに対応する複数の係止溝を具えたヘッドバンドと、
を具え、押しボタンの係止アームがヘッドバンドの係止溝に対して単方向の係止或いは係止解除の制御に供され、これにより調整時に直接ヘッドバンドを引っ張って係止アームに確定位置で係止溝を係止させることができ、ヘッドバンドを緩める時は、押しボタンを押圧することにより係止解除してヘッドバンドを引っ張ればよいことを特徴とする、水泳用ゴーグル。
【請求項２】
請求項１記載の水泳用ゴーグルにおいて、押しボタンから枢軸の中心までの距離が、係止アームから枢軸の中心までの距離より大きいことを特徴とする、水泳用ゴーグル。
【請求項３】
請求項１記載の水泳用ゴーグルにおいて、弾性手段がリムの押しボタンに対応する位置に設けられたアーチ形弾性片とされ、押しボタンが押し下げられる時にアーチ形弾性片が圧迫され変形し、押しボタンがもとの位置に戻る時に回復力を提供することを特徴とする、水泳用ゴーグル。
【請求項４】
請求項３記載の水泳用ゴーグルにおいて、押しボタンがアーチ形弾性片の一側を押圧し、組み付け時に調整装置のカバーより傾斜するよう突出することを特徴とする、水泳用ゴーグル。
【請求項５】
請求項３記載の水泳用ゴーグルにおいて、ガイドロッドが枢接シートの枢軸に近い部分に一体に形成されたことを特徴とする、水泳用ゴーグル。
【請求項６】
請求項１記載の水泳用ゴーグルにおいて、連接装置が組合せフレームを具え、該組合せフレームに二つのリムホルダ、及びブリッジが形成され、該二つのリムホルダが対応するリムの内表面に近い一側を包囲し、ブリッジがリムホルダの上下周縁の中央よりリムホルダの内側に向けて延伸されて一体とされて、二つのリムホルダの内側とある距離を保持し、これにより二つのリムホルダの内側がある角度範囲で自由回転可能とされたことを特徴とする、水泳用ゴーグル。
【請求項７】
請求項６記載の水泳用ゴーグルにおいて、ブリッジが軟材質で被覆されて柔軟な接触機能を具備したことを特徴とする、水泳用ゴーグル。
【請求項８】
請求項６記載の水泳用ゴーグルにおいて、各リムホルダの外側に結合体が設けられてリムの取り付け溝に収容され、並びに該結合体が調整装置と相互に連接されて一体とされたことを特徴とする、水泳用ゴーグル。
【請求項９】
請求項８記載の水泳用ゴーグルにおいて、結合体が間隙により対称な二つの部分に分割されたことを特徴とする、水泳用ゴーグル。
【請求項１０】
請求項８記載の水泳用ゴーグルにおいて、分割された結合体と調整装置の連接が、分割された結合体に位置決め溝が設けられ、該位置決め溝に調整装置のベースに対応して設けられた連接柱が組み合わされることにより達成されることを特徴とする、水泳用ゴーグル。
【請求項１１】
請求項１０記載の水泳用ゴーグルにおいて、各リムの内表面の一側に一体に嵌め溝が設けられ、該嵌め溝より軟質保護パッドが延伸されたことを特徴とする、水泳用ゴーグル。
【請求項１２】
水泳用ゴーグルにおいて、
連接装置で連接されて一体とされ、それぞれが外表面と内表面を具え、内表面と外表面の間にレンズを収容する収容溝が設けられ、外側縁に取り付け溝が設けられた左右のリムと、
左右のリムを一体とするのに供され、組合せフレームを具え、該組合せフレームに二つのリムホルダとブリッジが形成され、該二つのリムホルダが対応するリムの内表面に近い一側を包囲し、ブリッジがリムホルダの上下周縁の中央よりリムホルダの内側に向けて延伸されて一体とされて、二つのリムホルダの内側とある距離を保持し、これにより二つのリムホルダの内側がある角度範囲で自由回転可能とされる連接装置と、
左右のリムの外側縁に組み付けられ、ヘッドバンドと調整留め具を具えたヘッドバンド装置と、
を具えたことを特徴とする、水泳用ゴーグル。
【請求項１３】
請求項１２記載の水泳用ゴーグルにおいて、ブリッジが軟材質で被覆されて柔軟な接触機能を具備したことを特徴とする、水泳用ゴーグル。
【請求項１４】
請求項１３記載の水泳用ゴーグルにおいて、各リムホルダの外側に結合体が設けられてリムの取り付け溝に収容され、並びに該結合体が調整装置と相互に連接されて一体とされたことを特徴とする、水泳用ゴーグル。
【請求項１５】
請求項１４記載の水泳用ゴーグルにおいて、結合体が間隙により対称な二つの部分に分割されたことを特徴とする、水泳用ゴーグル。
【請求項１６】
請求項１４記載の水泳用ゴーグルにおいて、分割された結合体と調整装置の連接が、分割された結合体に位置決め溝が設けられ、該位置決め溝に調整装置のベースに対応して設けられた連接柱が組み合わされることにより達成されることを特徴とする、水泳用ゴーグル。
【請求項１７】
請求項１２記載の水泳用ゴーグルにおいて、各リムの内表面の一側に一体に嵌め溝が設けられ、該嵌め溝より軟質保護パッドが延伸されたことを特徴とする、水泳用ゴーグル。
【考案の詳細な説明】
【０００１】
【考案の属する技術分野】
本考案は一種の水泳用ゴーグルに係り、特に、水泳用ゴーグルのヘッドバンドを敏捷に調整できるようにして着用に便利とした水泳用ゴーグルに関する。
【０００２】
【従来の技術】
水泳用ゴーグルの使用で最も煩わしいのは着用時のヘッドバンドの調整であることは周知のとおりであり、周知の水泳用ゴーグルにヘッドバンドの位置決め及び長さ調整のために設けられた調整留め具は、二つの通し孔にヘッドバンドが通されて固定される。しかし、調整時に二つの通し孔に掛けられたヘッドバンドは引き動かす方式で調整されるため、調整時には頭上より取り外して調整後に再び着用する必要がある。このほか、引き動かしての調整は制御が行ないにくく、往々にして一回では望みどおりに調整できず、何度も頭上より取り外しては調整して再度着用するという動作を繰り返さねばならないことがよくある。且つ最も重要なことは、数回調整しても満足のいく調整が行なえないことがあり、このため使用者は周知のヘッドバンドの調整を非常に煩わしく不便に感じることである。
【０００３】
さらに、水泳用ゴーグルの着用時に最も心配なことは進水の問題であり、顔部の眼窩の鼻梁に接近する一側は最も凹み、且つ二つのリムの内側縁はブリッジに連接されているため、二つのリムの内側縁の眼窩の最も凹んだ部分に対する押圧力が往々にしてブリッジに引っ張られて最良の状態を達成できないことがあり、このため、水泳用ゴーグルの保護パッドがこの部分で確実に密着できなくなり、特に、鼻梁が比較的高い消費者の場合、更に確実な圧接が難しく、進水しやすくなる恐れがある。
【０００４】
【考案が解決しようとする課題】
本考案の主要な目的は、着用時の調整が非常に便利に行なえ、ヘッドバンドを一回の調整で位置決めでき或いは微調整の制御が行なえ、着用者の実際の使用要求に符合する水泳用ゴーグルを提供することにある。
【０００５】
本考案のさらに別の目的は、着用時に二つのリムが眼窩の最も凹んだ部分に対して密着を形成でき、着用して快適で進水の恐れのない水泳用ゴーグルを提供することにある。
【０００６】
【課題を解決するための手段】
請求項１の考案は、水泳用ゴーグルにおいて、
連接装置で連接されて一体とされ、それぞれが外表面と内表面を具え、内表面と外表面の間にレンズを収容する収容溝が設けられ、外側縁に取り付け溝が設けられた左右のリムと、
左右のリムの取り付け溝に組み付けられ、相互に組み合わされ一体とされるベースとカバー、及び係止アームを具えた押しボタンを具え、該ベースに枢接孔を具えた枢接シートが設けられ、該枢接孔近くにガイドロッドが設けられ、ガイドロッドの両側に導入口と導出口が設けられ、押しボタンと係止アームの間に枢軸が設けられて該枢軸と枢接孔の組合せにより押しボタンがてこ式にベースに組み付けられた調整装置と、
該押しボタンの作動後の回復力を提供する弾性手段と、
ベースとカバーの間に組み付けられて導入口よりガイドロッドに掛けられて導出口より引き出され、押しボタンの係止アームに対応する複数の係止溝を具えたヘッドバンドと、
を具え、押しボタンの係止アームがヘッドバンドの係止溝に対して単方向の係止或いは係止解除の制御に供され、これにより調整時に直接ヘッドバンドを引っ張って係止アームに確定位置で係止溝を係止させることができ、ヘッドバンドを緩める時は、押しボタンを押圧することにより係止解除してヘッドバンドを引っ張ればよいことを特徴とする、水泳用ゴーグルとしている。
請求項２の考案は、請求項１記載の水泳用ゴーグルにおいて、押しボタンから枢軸の中心までの距離が、係止アームから枢軸の中心までの距離より大きいことを特徴とする、水泳用ゴーグルとしている。
請求項３の考案は、請求項１記載の水泳用ゴーグルにおいて、弾性手段がリムの押しボタンに対応する位置に設けられたアーチ形弾性片とされ、押しボタンが押し下げられる時にアーチ形弾性片が圧迫され変形し、押しボタンがもとの位置に戻る時に回復力を提供することを特徴とする、水泳用ゴーグルとしている。
請求項４の考案は、請求項３記載の水泳用ゴーグルにおいて、押しボタンがアーチ形弾性片の一側を押圧し、組み付け時に調整装置のカバーより傾斜するよう突出することを特徴とする、水泳用ゴーグルとしている。
請求項５の考案は、請求項３記載の水泳用ゴーグルにおいて、ガイドロッドが枢接シートの枢軸に近い部分に一体に形成されたことを特徴とする、水泳用ゴーグルとしている。
請求項６の考案は、請求項１記載の水泳用ゴーグルにおいて、連接装置が組合せフレームを具え、該組合せフレームに二つのリムホルダ、及びブリッジが形成され、該二つのリムホルダが対応するリムの内表面に近い一側を包囲し、ブリッジがリムホルダの上下周縁の中央よりリムホルダの内側に向けて延伸されて一体とされて、二つのリムホルダの内側とある距離を保持し、これにより二つのリムホルダの内側がある角度範囲で自由回転可能とされたことを特徴とする、水泳用ゴーグルとしている。
請求項７の考案は、請求項６記載の水泳用ゴーグルにおいて、ブリッジが軟材質で被覆されて柔軟な接触機能を具備したことを特徴とする、水泳用ゴーグルとしている。
請求項８の考案は、請求項６記載の水泳用ゴーグルにおいて、各リムホルダの外側に結合体が設けられてリムの取り付け溝に収容され、並びに該結合体が調整装置と相互に連接されて一体とされたことを特徴とする、水泳用ゴーグルとしている。
請求項９の考案は、請求項８記載の水泳用ゴーグルにおいて、結合体が間隙により対称な二つの部分に分割されたことを特徴とする、水泳用ゴーグルとしている。
請求項１０の考案は、請求項８記載の水泳用ゴーグルにおいて、分割された結合体と調整装置の連接が、分割された結合体に位置決め溝が設けられ、該位置決め溝に調整装置のベースに対応して設けられた連接柱が組み合わされることにより達成されることを特徴とする、水泳用ゴーグルとしている。
請求項１１の考案は、請求項１０記載の水泳用ゴーグルにおいて、各リムの内表面の一側に一体に嵌め溝が設けられ、該嵌め溝より軟質保護パッドが延伸されたことを特徴とする、水泳用ゴーグルとしている。
請求項１２の考案は、水泳用ゴーグルにおいて、
連接装置で連接されて一体とされ、それぞれが外表面と内表面を具え、内表面と外表面の間にレンズを収容する収容溝が設けられ、外側縁に取り付け溝が設けられた左右のリムと、
左右のリムを一体とするのに供され、組合せフレームを具え、該組合せフレームに二つのリムホルダとブリッジが形成され、該二つのリムホルダが対応するリムの内表面に近い一側を包囲し、ブリッジがリムホルダの上下周縁の中央よりリムホルダの内側に向けて延伸されて一体とされて、二つのリムホルダの内側とある距離を保持し、これにより二つのリムホルダの内側がある角度範囲で自由回転可能とされる連接装置と、
左右のリムの外側縁に組み付けられ、ヘッドバンドと調整留め具を具えたヘッドバンド装置と、
を具えたことを特徴とする、水泳用ゴーグルとしている。
請求項１３の考案は、請求項１２記載の水泳用ゴーグルにおいて、ブリッジが軟材質で被覆されて柔軟な接触機能を具備したことを特徴とする、水泳用ゴーグルとしている。
請求項１４の考案は、請求項１３記載の水泳用ゴーグルにおいて、各リムホルダの外側に結合体が設けられてリムの取り付け溝に収容され、並びに該結合体が調整装置と相互に連接されて一体とされたことを特徴とする、水泳用ゴーグルとしている。
請求項１５の考案は、請求項１４記載の水泳用ゴーグルにおいて、結合体が間隙により対称な二つの部分に分割されたことを特徴とする、水泳用ゴーグルとしている。
請求項１６の考案は、請求項１４記載の水泳用ゴーグルにおいて、分割された結合体と調整装置の連接が、分割された結合体に位置決め溝が設けられ、該位置決め溝に調整装置のベースに対応して設けられた連接柱が組み合わされることにより達成されることを特徴とする、水泳用ゴーグルとしている。
請求項１７の考案は、請求項１２記載の水泳用ゴーグルにおいて、各リムの内表面の一側に一体に嵌め溝が設けられ、該嵌め溝より軟質保護パッドが延伸されたことを特徴とする、水泳用ゴーグルとしている。
【０００７】
【考案の実施の形態】
本考案の水泳用ゴーグルの主要な特徴は、水泳用ゴーグルのリムとヘッドバンドの間に調整装置が設けられ、該調整装置が係止アームを具えてヘッドバンドの係止溝に対して単方向の係止と係止解除の制御を行なう押しボタンを具え、使用者が直接ヘッドバンドを引っ張って緊張度の調整を行うか、或いは押しボタンを押圧して緊張を解除できるようにすることにある。
【０００８】
本考案の水泳用ゴーグルのもう一つの特徴は、水泳用ゴーグルの二つのリムが組合せフレームにより連接されて一体とされ、該組合せフレームに二つのリムホルダとブリッジが設けられ、そのうち二つのリムホルダが対応するリムの周囲を包囲し、ブリッジがリムホルダの周縁の中央近くより延伸形成され、それが二つのリムホルダの内縁とある距離を保持し、二つのリムホルダの内側がある角度範囲で自由に回転することにある。
【０００９】
本考案の水泳用ゴーグルのさらにもう一つの特徴は、組合せフレームのブリッジが軟質材料で被覆され、柔軟な接触効果を提供することにある。
【００１０】
【実施例】
図２に示されるように、本考案の水泳用ゴーグル１は、左リム２、右リム３、調整装置４及び組合せフレーム５、及びヘッドバンド（図２には表示せず。図３、４の符号６を参照されたい。該ヘッドバンドには複数の係止溝６０が設けられている。）を具えている。そのうち、左リム２、右リム３はそれぞれ外表面２０、３０と内表面２１、３１を具え、内表面２１、３１と外表面２０、３０の間にレンズ９を収容する収容溝２２、３２が設けられている。左リム２と右リム３の内表面２１、３１に一体に軟質保護パッド８が形成されて眼窩との快適な接触効果を提供する。さらに図６に示されるように、左リム２と軟質保護パッド８、右リム３と軟質保護パッド８の間に組合せフレーム５の組み付けに供される嵌め溝２３、３３が設けられている。左リム２、右リム３の外側縁に調整装置４が取り付けられる取り付け溝２４、３４が設けられている。該取り付け溝２４の下縁にアーチ形弾性片２５が設けられ、図７、８に示されるように、該アーチ形弾性片２５が左リム２の外側より隆起し、径方向に圧力を受ける時に適当な回復力を提供する。
【００１１】
該調整装置４は、左リム２、右リム３の取り付け溝２４、３４に取り付けられ、図１には僅かに左リム２の取り付け溝２４に組み付けられる調整装置４の分解状態のみが示されている。該調整装置４は硬材質とされ、相互に組み合わされ一体とされるベース４０とカバー４１、及び押しボタン４２を具え、該押しボタン４２に係止アーム４３と枢軸４４が設けられている。そのうちベース４０に枢接シート４０１があり、枢接シート４０１に枢接孔４０２が設けられて該枢接孔４０２に枢軸４４が組み付けられる。また、該枢軸４４近くに一体にガイドロッド４０３が設けられ、該ガイドロッド４０３の両側に導入口４０４と導出口４０５が設けられ、ヘッドバンドが通される。また、枢接シート４０１の傍らに相互に対応する二組の連接柱４０６、４０７が設けられ、ヘッドバンド組み付け時に導入口４０４よりガイドロッド４０３に掛けられて導出口４０５より出される。カバー４１に係止柱４１０が設けられてベース４０と係合する。また、カバー４１に穿孔４１１が設けられて押しボタン４２を収容し、該押しボタン４２は組み付け後に僅かにカバー４１より露出して押圧の操作に供される。注意すべきことは、該押しボタン４２と係止アーム４３はてこ式にベース４０とカバー４１の間に枢接され、即ち押しボタン４２と係止アーム４３の間に位置する枢軸４４により枢接シート４０１の枢接孔４０２に枢接され、該押しボタン４２から枢軸４４の中心までの距離が係止アーム４３から枢軸４４の中心までの距離より大きく、これにより、該枢軸４４を中心として、簡単に該押しボタン４２を押して係止アーム４３を運動させることができることである。さらに、図５及び図７、８に示されるように、押しボタン４２の施力部分と反対の一側は、リムのアーチ形弾性片２５を押圧し、アーチ形弾性片２５の隆起の撓み性により押しボタン４２押し下げ後の回復力が提供される。且つ、図３に示されるように、該押しボタン４２は該アーチ形弾性片２５の一側を押圧し、組み付け後にはカバー４１より傾斜するよう突出し、押圧時の施力を正確に行なうのに便利である。
【００１２】
該組合せフレーム５は、硬材質とされ、二つのリムホルダ５０、５１とブリッジ５２を具え、そのうち二つのリムホルダ５０、５１はそれぞれ対応するリム（左リム２、右リム３）の周縁の嵌め溝２３、３３を包囲する。また、二つのリムホルダ５０、５１の外側に結合体５３、５４が設けられ並びに間隙５３１、５４１により対称な二つの部分に分割され、結合体５３、５４がリムの取り付け溝２４に収容され、並びに調整装置４と固定されて一体とされ、その固定方式は、分割された結合体５３、５４に位置決め溝５３２、５４２が設けられ、ベース４０に該位置決め溝５３２、５４２に対応する連接柱４０６、４０７が設けられ、この連接柱４０６、４０７が対応する位置決め溝５３２、５４２内に収容されることにより、ヘッドバンド着用時の受力が前述のガイドロッド４０３及び二つの連接柱４０６、４０７と位置決め溝５３２、５４２の間に位置するものとされ、軟材質のリムに受力による変形を発生させない。
【００１３】
該ブリッジ５２は二つのリムホルダ５０、５１の上下周縁の中央部分より、内側に向けて傾斜するよう延伸されて連接され、並びに二つのリムホルダ５０、５１の内縁にある距離５５を保持させ、これにより二つのリムホルダ５０、５１の内側がある角度範囲内で自由回転可能とされる。また、ブリッジ５２が軟材質５６で一体に被覆されて柔軟な接触効果を提供する。
【００１４】
図２に示されるように、本考案の水泳用ゴーグル１は図１により組み立てられた後、二つのリム２、３の外側の調整装置４の押しボタン４２が組み付け後にカバー４１より僅かに傾斜するように露出する。図３に示されるように、押しボタン４２の係止アーム４３はヘッドバンド６の係止溝６０に対して単方向の係止を行ない、即ち、ヘッドバンド調整時に直接ヘッドバンドが引っ張られることで、係止アーム４３が確定位置にあって係止溝６０を係止する。この特性に基づき、使用者は、水泳用ゴーグルを頭部に装着するとき、まず緩めて頭部に装着し、さらにヘッドバンドを左右のリム２、３の両側より直接引っ張れば、一回の引っ張りにより位置決めを達成でき、操作に相当に便利である。ヘッドバンドを調整したい時は、図４の右側矢印に示されるように、まず押しボタン４２を押し下げる。このとき、てこの原理により、係止アーム４３が上向きに作動して係止溝６０に対する係止を解消し、使用者はこれによりヘッドバンド６の一辺を適当な長さにゆるみ、さらに押しボタン４２に対する押圧を解除する。このとき、アーチ形弾性片２５が押し下げにより保存したエネルギーにより押しボタン４２の回復力を提供し、係止アーム４３がこれによりヘッドバンドの係止溝６０を再度係止する。
【００１５】
さらに、本考案のブリッジ５２は左右のリム２、３の中央より内側に向けて延伸され、並びに二つのリムと適当な距離５５を維持し（図２参照）、これにより着用時に左右のリム２、３の内側が自由に回転し、保護パッド８と組み合わされて眼窩の鼻梁に近い凹み部分に密着する。ゆえに、周知のものよりも良好な密着効果を提供し、進水の心配がない。また、着用時の快適性を有する。
【００１６】
【考案の効果】
総合すると、本考案の水泳用ゴーグルは頭部に着用後に直接ヘッドバンドの長さを迅速に調整でき、且つ二つのリムが眼窩の最も凹んだところに密着し、着用して快適で、進水の恐れがない。
【００１７】
本考案の水泳用ゴーグルは確実に予期された目的を達成し、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【図１】本考案の水泳用ゴーグルの分解斜視図である。
【図２】本考案の水泳用ゴーグルの斜視図である。
【図３】図２の３−３断面図である。
【図４】図３中の片側のヘッドバンドの係止解除時の状態表示図である。
【図５】図２のカバーを取り外した側面図である。
【図６】本考案のリムの斜視図である。
【図７】本考案のリムの平面図である。
【図８】本考案のリムの背面図である。
【符号の説明】
１　水泳用ゴーグル　　　　　２　リム
３　リム　　　　　　　　　　４　調整装置
５　組合せフレーム　　　　　２０、３０　外表面
２１、３１　内表面　　　　　２２、３２　収容溝
２３、３３　嵌め溝　　　　　２４　取り付け溝
２５　アーチ形弾性片
４０　ベース　　　　　　　　４１　カバー
４２　押しボタン　　　　　　４３　係止アーム
４４　枢軸　　　　　　　　　４０１　枢接シート
４０２　枢接孔　　　　　　　４０３　ガイドロッド
４０４　導入口　　　　　　　４０５　導出口
４０６、４０７　連接柱　　　５０、５１　リムホルダ
５２　ブリッジ　　　　　　　５３、５４　結合体
５３１、５４１　間隙　　　　５３２、５４２　位置決め溝
６　ヘッドバンド　　　　　　６０　係止溝
【図１】
0003098520.tif 000003
【図２】
0003098520.tif 000004
【図３】
0003098520.tif 000005
【図４】
0003098520.tif 000006
【図５】
0003098520.tif 000007
【図６】
0003098520.tif 000008
【図７】
0003098520.tif 000009
【図８】
0003098520.tif 000010